(57)【要約】【課題】従来は、音楽番組などの放送に楽曲情報と楽曲以外の情報の区別をするための識別データ、または、アーティスト名、曲名などが付与されていない放送では、受信機側で楽曲と楽曲以外の情報とを区別することが出来なかった。【解決手段】本発明では、番組種別情報を分離する番組種別分離手段３と、音楽番組を区別する音楽番組種別情報を出力する音楽番組判定手段４と、字幕情報を分離する字幕情報分離手段５と、字幕情報に基づいて楽曲字幕情報を出力する楽曲字幕判定手段６と、音楽番組種別情報と楽曲字幕情報とを組み合わせて楽曲情報を選択する選択手段とを具備する楽曲選択装置を提供することにより、楽曲情報と楽曲以外の情報を区別するための識別データ等が付与されていない音楽番組においても、楽曲情報と楽曲以外の情報を区別し、楽曲情報のみを選択することが可能になる。【選択図】図１
2008108166.tif 000002
【特許請求の範囲】
【請求項１】
デジタル放送を受信し、受信した信号中の音声を出力する楽曲選択装置において、
受信した信号から番組種別情報を分離するステップと、
前記番組種別情報を基に音楽番組を区別するステップと、
受信した信号から字幕情報を分離するステップと、
前記字幕情報に基づき前記音楽番組から楽曲情報を選択する楽曲情報選択ステップと、
を含むことを特徴とする楽曲選択方法。
【請求項２】
受信した信号中の音声信号の解析により音声解析楽曲情報を分離するステップを含み、
前記楽曲情報選択ステップにおいて、前記音声解析楽曲情報に基づき前記音楽番組から楽曲情報を選択することを特徴とする請求項１に記載の楽曲選択方法。
【請求項３】
受信した信号中の音声信号の解析によりＣＭ部分を区別するＣＭ区間情報を出力するステップを含む、
前記楽曲情報選択ステップにおいて、前記ＣＭ区間情報に基づき前記音楽番組から楽曲情報を選択することを特徴とする請求項１または２に記載の楽曲選択方法。
【請求項４】
デジタル放送を受信し、受信した信号中の音声を出力する楽曲選択装置において、
受信した信号から番組種別情報を分離する番組種別分離手段と、
前記番組種別情報から音楽番組を区別する音楽番組判定手段と、
受信した信号から字幕情報を分離する字幕情報分離手段と、
前記字幕情報に基づき前記音楽番組から楽曲情報を選択する選択手段とを具備することを特徴とする楽曲選択装置。
【請求項５】
受信した信号中の音声信号の解析によりＣＭ部分を区別するＣＭ区間情報を出力する音声解析ＣＭ判定手段を具備し、
前記選択手段は、前記ＣＭ区間情報に基づき前記音楽番組から楽曲情報を選択することを特徴とする請求項４に記載の楽曲選択装置。
【請求項６】
受信した信号中の音声信号の解析により楽曲情報を区別する音声解析楽曲情報を出力する音声解析楽曲判定手段を具備し、
前記選択手段は、前記音声解析楽曲情報に基づき前記音楽番組から楽曲情報を選択することを特徴とする請求項４または５に記載の楽曲選択装置。
【発明の詳細な説明】
【技術分野】
【０００１】
本発明は、放送の音楽番組で放送される楽曲情報を選択できる装置に関する。
【背景技術】
【０００２】
近年の音楽番組放送においては、トークなどの楽曲以外の情報と実際にアーティストが歌っている楽曲情報とが混同している場合が多い。一方で、音楽番組の歌の部分だけを視聴したいユーザや、録音して利用したいといったユーザが多く存在する。そのため、楽曲情報と楽曲以外の情報を区別する技術が複数提案されている。
【０００３】
特許文献１において、あらかじめユーザが設定した曲名やアーティスト名の文字情報と放送に含まれる曲名やアーティスト名の文字情報が一致している区間を録音することで、ユーザが所望する楽曲情報を自動的に選別して録音する受信情報記録システムが提案されている。
【０００４】
特許文献２において、音声波形の解析を用いて楽曲情報の抽出を行い、あらかじめユーザが設定した曲名やアーティスト名の文字情報と放送に含まれる曲名やアーティスト名の文字情報が一致した楽曲情報を録音することで、曲の途中で曲名やアーティスト名の文字情報が含まれる場合でも曲の先頭から録音できるＦＭ文字多重放送録音制御プログラム装置が提案されている。
【特許文献１】特開平１０−０５５６５６号公報
【特許文献２】特開平１０−０５１３３７号公報
【発明の開示】
【発明が解決しようとする課題】
【０００５】
しかしながら、従来の技術では、放送に楽曲情報と楽曲以外の情報の区別をするための識別データ、または、アーティスト名、曲名などが付与されていることが前提となっており、前記識別データが付与されていない放送では、受信機側で楽曲と楽曲以外の情報とを区別することが出来なかった。また、現在の音楽番組テレビ放送では、楽曲情報と楽曲以外の情報を区別するための識別データが付与されていない放送が多いのが現状である。
【課題を解決するための手段】
【０００６】
以上の課題を解決するために、本発明の楽曲選択方法は、デジタル放送を受信し、受信した信号中の音声を出力する楽曲選択装置において、受信した信号から番組種別情報を分離するステップと、前記番組種別情報を基に音楽番組を区別するステップと、受信した信号から字幕情報を分離するステップと、前記字幕情報に基づき前記音楽番組から楽曲情報を選択する楽曲情報選択ステップと、を含むことを特徴とする。
【０００７】
上記の楽曲選択方法において、受信した信号中の音声信号の解析により音声解析楽曲情報を分離するステップを含み、前記楽曲情報選択ステップにおいて、前記音声解析楽曲情報に基づき前記音楽番組から楽曲情報を選択するとしてもよい。
【０００８】
上記の楽曲選択方法において、受信した信号中の音声信号の解析によりＣＭ部分を区別するＣＭ区間情報を出力するステップを含む、前記楽曲情報選択ステップにおいて、前記ＣＭ区間情報に基づき前記音楽番組から楽曲情報を選択するとしてもよい。
【０００９】
本発明の楽曲選択装置は、デジタル放送を受信し、受信した信号中の音声を出力する楽曲選択装置において、受信した信号から番組種別情報を分離する番組種別分離手段と、前記番組種別情報から音楽番組を区別する音楽番組判定手段と、受信した信号から字幕情報を分離する字幕情報分離手段と、前記字幕情報に基づき前記音楽番組から楽曲情報を選択する選択手段とを具備することを特徴とする。
【００１０】
上記の構成に係る楽曲選択装置において、受信した信号中の音声信号の解析によりＣＭ部分を区別するＣＭ区間情報を出力する音声解析ＣＭ判定手段を具備し、前記選択手段は、前記ＣＭ区間情報に基づき前記音楽番組から楽曲情報を選択するとしてもよい。
【００１１】
上記の構成に係る楽曲選択装置において、受信した信号中の音声信号の解析により楽曲情報を区別する音声解析楽曲情報を出力する音声解析楽曲判定手段を具備し、前記選択手段は、前記音声解析楽曲情報に基づき前記音楽番組から楽曲情報を選択するとしてもよい。
【発明の効果】
【００１２】
本発明により、楽曲情報と楽曲以外の情報を区別するための識別データ、または、アーティスト名、曲名などが付与されていない音楽番組においても、楽曲情報と楽曲以外の情報を区別することが可能になり、ユーザが楽曲情報のみを視聴したり、記録して利用することが可能となる。
【発明を実施するための最良の形態】
【００１３】
以下、本発明を実施するための最良の形態について、図面を参照しながら説明する。
【００１４】
（実施の形態１）
図１は本発明にかかる実施の形態１におけるテレビ受信機の構成を示すブロック図である。図１において、アンテナで受信した放送波は１のチューナーに送られる。チューナー１によって復調などの処理が行われた信号は２のＤＥＭＵＸ回路に送られる。
【００１５】
ＤＥＭＵＸ回路２では、チューナー１からの信号がＭＰＥＧデータと番組付属情報に分離され、ＭＰＥＧデータは７のデコーダに送られるとともに１４の記録手段に送られる。番組付属情報は３の番組種別分離手段に送られるとともに５の字幕情報分離手段に送られる。
【００１６】
番組種別分離手段３では、番組付属情報が番組種別情報と番組種別情報以外とに分離され、番組種別情報は４の音楽番組判定手段に送られる。
【００１７】
音楽番組判定手段４では、番組種別情報に基づき音楽番組を区別し、音楽番組種別情報は６の楽曲字幕判定手段に送られるとともに記録手段１４に送られる。
【００１８】
字幕情報分離手段５では、番組付属情報が字幕情報と字幕情報以外とに分離され、字幕情報は６の楽曲字幕判定手段に送られる。
【００１９】
楽曲字幕判定手段６では、音楽番組判定手段４から送られてきた音楽種別情報が音楽番組である場合に、字幕情報分離手段５から送られてきた字幕情報に基づき楽曲字幕情報を生成し、楽曲字幕情報は記録手段１４に送られる。
【００２０】
デコーダ７では、ＭＰＥＧデータを復調し、得られた映像信号は８の映像出力回路を介して９のモニタに出力され、得られた音声信号は１０の音声出力回路を介して１１のスピーカーに出力されるとともに、１２の音声解析ＣＭ判定手段と１３の音声解析楽曲判定手段にも送られる。
【００２１】
音声解析ＣＭ判定手段１２では、音声の無音部分に基づきＣＭ区間情報を生成し、ＣＭ区間情報は記録手段１４に送られる。
【００２２】
音声解析楽曲判定手段１３では、音声解析に基づき、音声が楽曲かどうかを判定し、楽曲と判定した際には音声解析楽曲情報を生成し、生成された音声解析楽曲情報は記録手段１４に送られる。
【００２３】
記録手段１４は、音楽番組判定手段４より送られてきた音楽番組種別情報が音楽番組である場合に、音楽番組種別情報と、楽曲字幕判断手段６から送られてきた楽曲字幕情報と、音声解析ＣＭ判定手段１２から送られてきたＣＭ区間情報と、音声解析楽曲判定手段１３から送られてきた音声解析楽曲情報とを、ＤＥＭＵＸ回路２から送られてくるＭＰＥＧデータと関連付けて利用できる形式で記録する。
【００２４】
１５のリモコン受光部では、ユーザ操作などによる外部要求を受信し、１６の選択手段に通知する。
【００２５】
選択手段１６では、外部要求を受けると、記録手段１４で記録された情報に基づき楽曲情報を選択し、１７の外部記憶装置に出力する。
【００２６】
このように構成された楽曲選択装置における選択手段１６の処理手順を図２のフローチャートを用いて説明する。図２では、まずステップＳ１０１で、記録手段１４で記録された情報を取得する。次にステップＳ１０２で番組種別が音楽番組かどうかを判断する。音楽番組以外の場合（ステップＳ１０２でＮＯの場合）は、ステップＳ１０７でＭＰＥＧデータの出力を停止し、続けて次の情報を取得する。音楽番組の場合（ステップＳ１０２でＹＥＳの場合）は、ステップＳ１０３で字幕情報があるかどうかを判断する。字幕情報があれば（ステップＳ１０３でＹＥＳの場合）、ステップＳ１０７でＭＰＥＧデータの出力を停止し、続けて次の情報を取得する。字幕情報がなければ（ステップＳ１０３でＮＯの場合）、ステップＳ１０４でＣＭかどうかをＣＭ区間情報の有無により判断する。ＣＭの場合（ステップＳ１０４でＹＥＳの場合）は、ステップＳ１０７でＭＰＥＧデータの出力を停止し、続けて次の情報を取得する。ＣＭでない場合（ステップＳ１０４でＮＯの場合）は、ステップＳ１０５で音声解析による楽曲情報かどうかの情報を判定する。楽曲でないと判断された場合（ステップＳ１０５でＮＯの場合）は、ステップＳ１０７でＭＰＥＧデータの出力を停止し、続けて次の情報を取得する。楽曲と判断された場合（ステップＳ１０５でＹＥＳの場合）は、ステップＳ１０６でＭＰＥＧデータを選択して外部記憶装置１７に出力する。
【００２７】
図３は、楽曲選択を行うための情報が記録手段１４により記録された例である。図３によれば、ニュース番組、音楽番組、ニュース番組が連続して放送された場合、番組種別を基に音楽番組である区間が選択される。選択された音楽番組の区間において、楽曲字幕情報無しで、ＣＭ区間情報もなく、さらに音声解析により楽曲情報と判定された区間について、楽曲情報として選択し、外部記録装置１７に出力する。
【００２８】
上記実施の形態によれば、楽曲情報と楽曲以外の情報を区別するための識別データ、または、アーティスト名、曲名などが付与されていない音楽番組においても、楽曲情報のみを選択することができるようになる。
【００２９】
なお、記録手段１４はＭＰＥＧデータと選択手段１６で利用する情報を記録する大容量な記録媒体でもよく、リアルタイムに楽曲情報を選択して利用する場合に遅延を回避するための一時的なバッファのようなものでもよい。
【００３０】
なお、本実施の形態では、字幕情報があれば楽曲以外の情報と判断する処理手順を例に挙げたが、字幕情報の歌詞に含まれる音符などの特有の記号を判定して、そのような字幕情報が存在する区間は楽曲情報と判定してもよい。
【００３１】
なお、本実施の形態では、音楽番組種別情報、楽曲字幕情報、ＣＭ区間情報、及び音声解析楽曲情報について、それぞれの有無をこの順に判定する処理手順について説明したが、この順番に限るものではなく、判定の順番を変更し、例えば音声解析楽曲情報の結果を優先する処理手順であってもよい。
【産業上の利用可能性】
【００３２】
本発明の楽曲選択装置は、放送される番組に楽曲情報と楽曲以外の情報を区別するための識別データ、または、アーティスト名、曲名などが付与されていなくても楽曲情報のみを選択することができるので、広範囲の放送にわたって利用可能であり、有用である。
【図面の簡単な説明】
【００３３】
【図１】本発明の一実施の形態における楽曲選択装置の構成を示すブロック図
【図２】本発明の一実施の形態における処理手順を示すフローチャート
【図３】本発明の一実施の形態における記録手段に記録された情報および選択結果を示す図
【符号の説明】
【００３４】
１    チューナー
２    ＤＥＭＵＸ回路
３    番組種別分離手段
４    音楽番組判定手段
５    字幕情報分離手段
６    楽曲字幕判定手段
７    デコーダ
８    映像出力回路
９    モニタ
１０    音声出力回路
１１    スピーカー
１２    音声解析ＣＭ判定手段
１３    音声解析楽曲判定手段
１４    記録手段
１５    リモコン受光部
１６    選択手段
１７    外部記憶装置
【図１】
2008108166.tif 000003
【図２】
2008108166.tif 000004
【図３】
2008108166.tif 000005